(57)【要約】【課題】ヘッドブロックのオーバーラップによって生じる画像のつなぎ目を画像毎に精度良く補正するインクジェット記録装置を提供する。【解決手段】記録媒体の搬送方向と直交する方向に、千鳥状に配列された複数のヘッドブロック４と、ヘッドブロックが備えるインクジェットヘッド３と、インクジェットヘッドにより、記録媒体に対して形成された画像をスキャンして画像データを取得するスキャン手段６と、スキャン手段によりスキャンされた画像データを表示する表示手段１０と、表示手段によって表示された前記画像データに基づいて、複数のヘッドブロックのつなぎ目に関する情報を入力する入力手段と、入力手段による入力結果に基づいて、各ヘッドブロックによるインク吐出量を補正するように制御する制御手段５とを備える。【選択図】図１
2015003455.tif 000002
【特許請求の範囲】
【請求項１】
記録媒体の搬送方向と直交する方向に、千鳥状に配列された複数のヘッドブロックと、
前記ヘッドブロックが備えるインクジェットヘッドと、
前記インクジェットヘッドにより、前記記録媒体に対して形成された画像をスキャンして画像データを取得するスキャン手段と、
前記スキャン手段によりスキャンされた前記画像データを表示する表示手段と、
前記表示手段によって表示された前記画像データに基づいて、前記複数のヘッドブロックのつなぎ目に関する情報を入力する入力手段と、
前記入力手段による入力結果に基づいて、前記各ヘッドブロックによるインク吐出量を補正するように制御する制御手段と
を備えることを特徴とするインクジェット記録装置。
【請求項２】
前記表示手段および前記入力手段は、画像データを表示可能で且つ前記複数のヘッドブロックのつなぎ目に関する情報として前記複数のヘッドブロックのつなぎ目位置を特定する座標を入力可能なタッチパネルで構成され、
当該タッチパネルには、前記スキャン手段で取得した画像データを表示し、その表示された画像データに基いて、補正対象となるつなぎ目位置、色、つなぎ目開始位置および終了位置の座標を入力することを特徴とする請求項１に記載のインクジェット記録装置。
【請求項３】
前記補正手段は、画像内のつなぎ目の座標位置の特定を行う際に、つなぎ目の補正実施が印刷直後であるか否かを判定し、印刷直後であると判定された場合には、印刷時の画像形成に使用した前記インクジェットヘッドのノズルに関する情報に基いて、画像内のつなぎ目の座標位置を特定することを特徴とする請求項２に記載のインクジェット記録装置。
【請求項４】
前記補正手段は、画像内のつなぎ目の座標位置の特定を行う際に、さらに、前記記録媒体の幅が予め設定した閾値より小さいか否かを判定し、前記閾値より小さいと判定された場合には、前記スキャン手段によって、印刷後の前記記録媒体の縦、横の双方向にスキャンし得られた画像に基いて画像内のつなぎ目の座標位置を特定することを特徴とする請求項３に記載のインクジェット記録装置。
【発明の詳細な説明】
【技術分野】
【０００１】
本発明は、インクジェット記録装置に係り、特にヘッドブロックのオーバーラップによって生じる画像のつなぎ目を画像毎に精度良く補正することのできるインクジェット記録装置に関する。
【背景技術】
【０００２】
インクジェット方式が適用されたインクジェット記録装置は、画像情報や文字情報等の印刷データに基づいて、インクジェットヘッドのノズルからインクを記録媒体（印刷用紙等）に向けて吐出して画像や文字などを印刷することができ、特に多色のインクを使用した場合には印刷用紙上にカラー印刷できるので、家庭用や業務用として広く普及している。
【０００３】
ところで、スキャナ装置で取得した画像データを印刷データとして用いる場合には、スキャナ装置の読取部に付着したゴミ等により不要なスジ等が入る場合がある。
【０００４】
このようなスジ等を補正により消去して画像を印刷する技術が種々提案されている。
【０００５】
例えば、特許文献１には、画像が入力されると、色空間変換処理、補正処理等を施し、画像処理装置の格子合成部は、補正処理後の画像に所定の格子パターンを合成し、合成後の画像は、画像形成制御装置の制御により、記録用紙上に形成され、ユーザは、記録用紙上に形成された画像を確認し、すじが発生している場合には、すじの位置を認識し、ユーザインタフェース装置を介してすじ位置を指定し、画像処理装置は、指定されたすじ位置を受け付けたか否かを判定し、受け付けた場合には、すじ位置においてすじ補正処理を施して、画像形成制御装置に対して出力する画像処理装置が開示されている。
【先行技術文献】
【特許文献】
【０００６】
【特許文献１】特開２００７−２８３９６号公報
【発明の概要】
【発明が解決しようとする課題】
【０００７】
ところで、インクジェット記録装置においては、千鳥状に配列された複数のヘッドブロックを備えるインクジェットヘッドを搭載する場合が多い。このようなインクジェットヘッドを用いて画像形成を行う場合には、各ヘッドブロックのオーバーラップによって画像のつなぎ目が生じてしまう。
【０００８】
特に高精細な印刷物が要求される場合などには、このようなつなぎ目を目立たなくする補正処理が求められる。
【０００９】
しかしながら、上記従来技術では、上述のようにスキャナ装置の読取部に付着したゴミ等によって生じるスジ等を補正することはできるが、各ヘッドブロックのオーバーラップによって生じるつなぎ目を補正することはできないという問題があった。
【００１０】
本発明は、上記課題に鑑みてなされたものであり、ヘッドブロックのオーバーラップによって生じる画像のつなぎ目を画像毎に精度良く補正することのできるインクジェット記録装置を提供することを目的とする。
【課題を解決するための手段】
【００１１】
上記目的を達成するため、本発明に係るインクジェット記録装置の第１の態様は、記録媒体の搬送方向と直交する方向に、千鳥状に配列された複数のヘッドブロックと、前記ヘッドブロックが備えるインクジェットヘッドと、前記インクジェットヘッドにより、前記記録媒体に対して形成された画像をスキャンして画像データを取得するスキャン手段と、前記スキャン手段によりスキャンされた前記画像データを表示する表示手段と、前記表示手段によって表示された前記画像データに基づいて、前記複数のヘッドブロックのつなぎ目に関する情報を入力する入力手段と、前記入力手段による入力結果に基づいて、前記各ヘッドブロックによるインク吐出量を補正するように制御する制御手段とを備えることを特徴とする。
【００１２】
本発明に係るインクジェット記録装置の第２の態様は、第１の態様に係るインクジェット記録装置において、前記表示手段および前記入力手段は、画像データを表示可能で且つ前記複数のヘッドブロックのつなぎ目に関する情報として前記複数のヘッドブロックのつなぎ目位置を特定する座標を入力可能なタッチパネルで構成され、当該タッチパネルには、前記スキャン手段で取得した画像データを表示し、その表示された画像データに基いて、補正対象となるつなぎ目位置、色、つなぎ目開始位置および終了位置の座標を入力することを特徴とする。
【００１３】
本発明に係るインクジェット記録装置の第３の態様は、第１の態様に係るインクジェット記録装置において、前記補正手段は、画像内のつなぎ目の座標位置の特定を行う際に、つなぎ目の補正実施が印刷直後であるか否かを判定し、印刷直後であると判定された場合には、印刷時の画像形成に使用した前記インクジェットヘッドのノズルに関する情報に基いて、画像内のつなぎ目の座標位置を特定することを特徴とする。
【００１４】
本発明に係るインクジェット記録装置の第４の態様は、第４の態様に係るインクジェット記録装置において、前記補正手段は、画像内のつなぎ目の座標位置の特定を行う際に、さらに、前記記録媒体の幅が予め設定した閾値より小さいか否かを判定し、前記閾値より小さいと判定された場合には、前記スキャン手段によって、印刷後の前記記録媒体の縦、横の双方向にスキャンし得られた画像に基いて画像内のつなぎ目の座標位置を特定することを特徴とする。
【発明の効果】
【００１５】
本発明によれば以下の効果を奏することができる。
【００１６】
すなわち、第１の態様に係るインクジェット記録装置では、入力手段による入力結果に基づいて、各ヘッドブロックによるインク吐出量を補正するので、ヘッドブロックのオーバーラップによって生じる画像のつなぎ目を画像毎に精度良く補正することのできるインクジェット記録装置を提供できる。
【００１７】
第２の態様に係るインクジェット記録装置では、タッチパネルに表示された画像データに基いて、複数のヘッドブロックのつなぎ目に関する情報として複数のヘッドブロックのつなぎ目位置を特定する座標を入力するので、画像データに基いて補正位置等を正確に指定することができる。
【００１８】
第３の態様に係るインクジェット記録装置では、つなぎ目の補正実施が印刷直後であるか否かを判定し、印刷直後であると判定された場合には、印刷時の画像形成に使用したインクジェットヘッドのノズルに関する情報に基いて、画像内のつなぎ目の座標位置を特定するので、他の画像によってノズルの情報が上書きされて当該情報を使用できなくなることを回避し、画像を形成するのに使用したノズルの情報を使用することができる。
【００１９】
第４の態様に係るインクジェット記録装置では、記録媒体の幅が予め設定した閾値より小さいか否かを判定し、閾値より小さいと判定された場合には、スキャン手段によって、印刷後の記録媒体の縦、横の双方向にスキャンし得られた画像に基いて画像内のつなぎ目の座標位置を特定するので、用紙サイズが小さい場合にもつなぎ目位置を正確に特定して、的確な補正を行うことができる。
【図面の簡単な説明】
【００２０】
【図１】本実施の形態に係るインクジェット記録装置の機能構成を示した機能ブロック図である。
【図２】比較例に係る補正手法を示す説明図である。
【図３】本発明の実施形態に係るインクジェット記録装置におけるインクジェットヘッドを含む画像形成部の概略構成を示す側面図（ａ）と、平面図（ｂ）である。
【図４】テストパターンによるつなぎ目の例を示す説明図である。
【図５】印刷した画像の画像データによるつなぎ目の例を示す説明図である。
【図６】本発明の実施形態に係るインクジェット記録装置において実行される補正処理の実施例に係る処理手順を示すフローチャートである。
【図７】本発明の実施形態に係るインクジェット記録装置において実行される補正処理の他の実施例に係るサブルーチン（１）の処理手順を示すフローチャートである。
【図８】本発明の実施形態に係るインクジェット記録装置において実行される補正処理の他の実施例に係るサブルーチン（２）の処理手順を示すフローチャートである。
【図９】本発明の実施形態に係るインクジェット記録装置において実行される補正処理の他の実施例に係るサブルーチン（３）の処理手順を示すフローチャートである。
【図１０】つなぎ目補正量の決定処理の処理手順を示すフローチャートである。
【図１１】本発明の実施形態に係るインクジェット記録装置において適用されるつなぎ目補正量等を示す図表であり、（ａ）シアン（Ｃ）に関する図表、（ｂ）マゼンタ（Ｍ）に関する図表、（ｃ）ブラック（Ｋ）に関する図表、（ｄ）イエロー（Ｙ）に関する図表である。
【図１２】つなぎ目補正の位置設定の手順を示す流れ図である。
【図１３】つなぎ目補正の位置の測定例（ａ）と、入力パネルの例（ｂ）を示す説明図である。
【図１４】つなぎ目補正の確認を行う手順を示す流れ図である。
【発明を実施するための形態】
【００２１】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２２】
（インクジェット記録装置の機能構成について）
実施形態に係るインクジェット記録装置１の機能構成について図１を参照して説明する。
【００２３】
図１に示すように、本実施の形態に係るインクジェット記録装置１は、記録媒体を搬送する搬送ローラや搬送ベルト等で構成される搬送手段２と、記録媒体の搬送方向と直交する方向に、千鳥状に配列された複数のヘッドブロック４を備え、記録媒体に対してインクを吐出するインクジェットヘッド３と、各ヘッドブロック４によるインクの吐出量を制御して画像を形成するマイクロコンピュータ等で構成される制御手段５と、記録媒体に形成された画像をスキャンして画像データを取得するスキャナ装置等で構成されるスキャン手段６と、画像データを表示する表示手段２０と、画像データに基いて、各ヘッドブロック４のオーバーラップによって生じる画像のつなぎ目を検出する例えばＣＣＤ等の画像素子で構成される検出手段８と、検出手段８による検出結果に基いて、各ヘッドブロック４によるインクの吐出量を補正する補正手段９とを備える。
【００２４】
制御手段５および補正手段９は、各ヘッドブロック４によるインクの吐出量を多値ドロップ数で制御するようにできる。なお、補正手段９は、マイクロコンピュータ等で構成される制御手段５が兼ねるようにしても良い。
【００２５】
補正手段９は、検出手段８による検出結果に基いて、つなぎ目部分のインク吐出量またはつなぎ目部分においてオーバーラップするヘッドブロックのノズル位置を変更するようにできる。
【００２６】
また、インクジェットヘッド３は、ＣＭＹＫの各色に対応させて設けられ、補正手段９は、重色を形成するＣＭＹＫのインク吐出量の比率に応じてつなぎ目の補正を行うようにできる。
【００２７】
検出手段８は、画像データにおける輝度差に基いて、輝度差が所定値以上の座標を抽出して、つなぎ目を検出するようにできる。
【００２８】
また、補正手段９によって補正すべきつなぎ目位置を調整する座標を入力する入力手段１０をさらに備えるようにできる。
【００２９】
また、表示手段２０および入力手段１０は、画像データを表示可能で且つ所定の座標を指定して入力可能なタッチパネル３０で構成することができる。
【００３０】
そして、タッチパネル３０には、スキャン手段６で取得した画像データを表示するようにして、操作者等がつなぎ目等を目視で確認するようにしても良い。
【００３１】
また、タッチパネル３０に表示された画像データに基いて、補正対象となるつなぎ目位置、色、つなぎ目開始位置および終了位置の座標を入力するようにできる。
【００３２】
さらに、タッチパネル３０には、補正手段９で行う補正結果をシミュレーションした画像を表示して、操作者等が補正結果を目視で確認できるようにしても良い。
【００３３】
（比較例に係る補正手法）
ここで、図２を参照して、比較例に係る補正手法について説明する。
【００３４】
比較例に係る補正手法は、スキャナ装置１００で所望の画像をスキャンして画像データを取り込み、プリンタ１０１で印刷して印刷物を得るというシステムにおける画像データの補正に関する。
【００３５】
例えば、スキャナ装置１００の原稿読取用のプラテンガラスにゴミ等の不純物が付着していた場合には、そのゴミ等も画像データとなってスジなどとして映り込んでしまう（図２の画像Ｐ１００参照）ので、そのスジ等の写り込んだ位置を指定して、目立たないように補正しようとするものである。
【００３６】
ところが、ゴミなどによるスジ等を自動で判定するには処理に時間がかかるという難点があった。
【００３７】
そこで、操作者等が黒すじや、ゴミに起因すると判定した画像を画像データ上から取り除くという補正手法をとっている。
【００３８】
より具体的には、所定のパターンを印刷し、ごみのスタート位置およびエンド位置を操作者が書き込んだり、シール等の目印をつけ、スジ等と判定された部分について、画像データ上で周辺画素値に基づいて平滑化処理をかけて補正している。
【００３９】
一方、インクジェット記録装置１においては、千鳥状に配列された複数のヘッドブロック４を備えるインクジェットヘッド３を搭載しており、このようなインクジェットヘッド３を用いて画像形成を行う場合には、各ヘッドブロック４のオーバーラップによって画像のつなぎ目が生じてしまう。
【００４０】
特に高精細な印刷物が要求される場合などには、このようなつなぎ目を目立たなくする補正処理が求められるが、比較例に係る補正手法では、上述のようにスキャナ装置１００の読取部に付着したゴミ等によって生じるスジ等を補正して除去することはできるが、各ヘッドブロック４のオーバーラップによって生じる個々の画像におけるつなぎ目を補正することはできなかった。
【００４１】
（インクジェットヘッドを含む画像形成部の概略構成）
図３（ａ）に実施形態に係るインクジェット記録装置１におけるの概略を示す側面図を、図３（ｂ）にその平面図を示す。
【００４２】
図３に示す例では、印刷用紙等の記録媒体Ｐの搬送方向に沿って、シアン（Ｃ）、ブラック（Ｋ）、マゼンタ（Ｍ）、イエロー（Ｙ）の順でインクジェットヘッド３（３Ｃ、３Ｋ、３Ｍ、３Ｙ）が設けられている。
【００４３】
そして、図３（ｂ）に示す例では、各色のインクジェットヘッド３（３Ｃ、３Ｋ、３Ｍ、３Ｙ）は、記録媒体の搬送方向と直交する方向に、複数（この例では６個）のヘッドブロック４ａ〜４ｆが端部がオーバラップするように千鳥状に配列されて構成されている。
【００４４】
本実施形態に係るインクジェット記録装置１では、つなぎ目が印刷される画像毎に適切な画像補正を行うものである。
【００４５】
（つなぎ目について）
図４は、テストパターンによるつなぎ目の例を示す説明図である。
【００４６】
なお、この例における記録媒体の搬送方向は、矢印で示すように、記録媒体の長手方向である。
【００４７】
図４は、濃度を段階的に変化させたテストパターンＴＰ１を印刷し、インクジェットヘッド３（３Ｃ、３Ｋ、３Ｍ、３Ｙ）のオーバラップ部ＯＢ１〜ＯＢ５に対応したつなぎ目を検出しようとする例である。しかし、テストパターンＴＰ１等では、オーバラップ部ＯＢ１〜ＯＢ５の濃度ムラの視認性が低く、オーバラップ部ＯＢ１〜ＯＢ５に対応したつなぎ目の位置を正確に把握できないという難点がある。
【００４８】
特に、複数のヘッドブロック（ヘッドモジュール）で構成されたラインヘッドによる高速印刷機では、システムとして補正することが技術的に難しい。
【００４９】
また、テストパターンを用いる場合には、個別の画像におけるつなぎ目の検出に十分に対応することができないという不都合もある。
【００５０】
図５（ａ）は、印刷した画像Ｐ１０１によるつなぎ目の例を示す説明図である。
【００５１】
図５（ａ）は、所望の画像Ｐ１０１を印刷し、オーバラップ部ＯＢ１〜ＯＢ５に対応したつなぎ目を検出しようとする例である。
【００５２】
なお、この例における記録媒体の搬送方向は、矢印で示すように、記録媒体の長手方向である。
【００５３】
この例では、少なくともオーバラップ部ＯＢ２、ＯＢ３、ＯＢ４に対応するつなぎ目Ｊ１、Ｊ２、Ｊ３が視認される。なお、この例では、オーバラップ部ＯＢ４に対応するつなぎ目Ｊ３は判然としないが、逆につなぎ目が目立たないので、補正の必要性は低いと考えられる。
【００５４】
このようにして、各画像について、オーバラップ部ＯＢ１〜ＯＢ５に対応したつなぎ目を検出して、補正位置等を設定し、その設定情報に基いて補正を実行することとなる。
【００５５】
図５（ｂ）は、印刷した画像Ｐ１０２によるつなぎ目の例を示す説明図である。
【００５６】
図５（ｂ）は、所望の画像Ｐ１０２を印刷し、オーバラップ部ＯＢ１〜ＯＢ５に対応したつなぎ目を検出しようとする例である。
【００５７】
なお、この例における記録媒体の搬送方向は、矢印で示すように、記録媒体の短手方向である。
【００５８】
この例では、少なくともオーバラップ部ＯＢ１、ＯＢ２に対応するつなぎ目Ｊ４、Ｊ５が視認される。なお、この例では、オーバラップ部ＯＢ３〜ＯＢ５に対応するつなぎ目は判然としないが、逆につなぎ目が目立たないので、補正の必要性も低いと考えられる。
【００５９】
このようにして、各画像について、オーバラップ部ＯＢ１〜ＯＢ５に対応したつなぎ目を検出して、補正位置等を設定し、その設定情報に基いて補正を実行することとなる。
【００６０】
なお、テキスト文書から取得した画像データの場合は、つなぎ目濃度ムラによる画質の劣化の視認性は低いので、個別に補正する必要性は低い。
【００６１】
また、写真等から取得した画像データであっても、つなぎ目部分の色味や濃度によって視認性の程度は異なる。したがって、画像に応じて補正の有無を判定する必要がある。
【００６２】
また、重色で形成される画像のつなぎ目は、複数のインクのつなぎ目が重なるので、何れの色のつなぎ目補正値をどの程度補正すべきかの判断は比較的難しいので、熟練者のノウハウ等を補正システムに反映させて行うことが望ましい。
【００６３】
（補正処理）
次に、図６〜図１０のフローチャートを参照して、本実施の形態に係るインクジェット記録装置１で実行される補正処理の処理手順について説明する。
【００６４】
まず、図６のフローチャートを参照して、補正処理の実施例の処理手順について説明する。
【００６５】
この処理が開始されると、まず、ステップＳ２０１で、所望の画像を印刷してステップＳ２０２に移行する。
【００６６】
ステップＳ２０２では、スキャナ装置があるか否かが判定され、「Ｙｅｓ」の場合には印刷物をスキャンしてステップＳ２０４に移行する。
【００６７】
ステップＳ２０４では、画像の保存先はインクジェット記録装置本体か否かが判定され、「Ｙｅｓ」の場合にはステップＳ２０５に移行する。
【００６８】
ステップＳ２０５では、スキャン画像をタッチパネル３０に表示してステップＳ２０６に移行する。
【００６９】
ステップＳ２０６では、タッチパネル３０上で、つなぎ目の補正対象色、補正開始位置、終了位置を指定してステップＳ２１２に移行し、指定内容を記憶して、ステップＳ２１３に移行する。
【００７０】
ステップＳ２１３では指定内容に基いて補正を実行した後、処理を終了する。
【００７１】
また、ステップＳ２０４で、「Ｎｏ」と判定された場合には、スキャン画像を本体外の例えばハードディスク装置やＵＳＢメモリ等の不揮発性のデバイスに保存してステップＳ２０８に移行する。
【００７２】
ステップＳ２０８では、スキャン画像を例えばパーソナルコンピュータ等で表示し、つなぎ目の補正対象色、補正開始位置、終了位置を指定してステップＳ２０９に移行する。
【００７３】
ステップＳ２０９では、インクジェット記録装置１の本体に指定位置等の情報を送信してステップＳ２１２に移行し、指定内容を記憶して、ステップＳ２１３に移行する。
【００７４】
ステップＳ２１３では指定内容に基いて補正を実行した後、処理を終了する。
【００７５】
一方、ステップＳ２０２で「Ｎｏ」と判定された場合には、ステップＳ２１０に移行して、直尺等の定規で印刷した画像の用紙上端から補正が必要なつなぎ目の補正開始位置および終了位置を測定して、ステップＳ２１１に移行する。
【００７６】
ステップＳ２１１では、タッチパネル３０から測定値を入力してステップＳ２１２に移行し、指定内容を記憶して、ステップＳ２１３に移行する。
【００７７】
ステップＳ２１３では指定内容に基いて補正を実行した後、処理を終了する。
【００７８】
（他の実施例）
次に、図７から図９のフローチャートを参照して、補正処理の他の実施例について説明する。
【００７９】
図７のフローチャートは、図６のフローチャートにおけるステップＳ２０４〜Ｓ２１３（但し、ステップＳ２１０、ステップＳ２１１を除く）に代えてサブルーチン（１）を実行する他の実行例に係る処理手順を示す。
【００８０】
ステップＳ３０１では、スキャナ装置により印刷物をスキャンして画像データを取得してステップＳ３０２に移行する。
【００８１】
ステップＳ３０２では、取得した画像データ（スキャン画像）を画像メモリ７に保存してステップＳ３０３に移行する。
【００８２】
ステップＳ３０３では、スキャン画像とつなぎ目位置とを併せてタッチパネル３０に表示してステップＳ３０４に移行する。
【００８３】
ステップＳ３０４では、補正するつなぎ目番号をタッチパネル３０から選択してステップＳ３０５に移行する。
【００８４】
ステップＳ３０５では、選択されたつなぎ目部箇所の拡大画像をタッチパネル３０に表示してステップＳ３０６に移行する。
【００８５】
ステップＳ３０６では、つなぎ目補正レベルを例えば弱、中、強の中から選択してステップＳ３０７に移行する。
【００８６】
ステップＳ３０７では、選択された補正レベルでつなぎ目補正を実行した際のシミュレーション結果の出力イメージをタッチパネル３０に表示してステップＳ３０８に移行する。
【００８７】
ステップＳ３０８では、補正画像を印刷するか否かが判定され、「Ｎｏ」の場合にはステップＳ３０６に戻って補正を繰り返し、「Ｙｅｓ」の場合にはステップＳ３０９に移行して画像を印刷してメイン処理に戻り処理を終了する。
【００８８】
図８のフローチャートは、図６のフローチャートにおけるステップＳ２０４〜Ｓ２１３（但し、ステップＳ２１０、ステップＳ２１１を除く）に代えてサブルーチン（２）を実行する他の実行例に係る処理手順を示す。
【００８９】
ステップＳ４０１では、スキャナ装置により印刷物をスキャンして画像データを取得してステップＳ４０２に移行する。
【００９０】
ステップＳ４０２では、取得した画像データ（スキャン画像）を画像メモリ７に保存してステップＳ４０３に移行する。
【００９１】
ステップＳ４０３では、スキャン画像とつなぎ目位置とを併せてタッチパネル３０に表示してステップＳ４０４に移行する。
【００９２】
ステップＳ４０４では、補正するつなぎ目番号をタッチパネル３０から選択してステップＳ４０５に移行する。
【００９３】
ステップＳ４０５では、選択されたつなぎ目部箇所の拡大画像をタッチパネル３０に表示してステップＳ４０６に移行する。
【００９４】
ステップＳ４０６では、補正対象色を自分で判定するか否かが判定され、「Ｙｅｓ」の場合にはステップＳ４０７に移行して、スキャン画像を見て判定した補正する色を例えばタッチパネル３０の表示された色見本等から選んでステップＳ４０８に移行する。
【００９５】
ステップＳ４０８では、補正レベルを例えばタッチパネルに表示された−５〜＋５の範囲で選択し、ステップＳ４１１に移行する。
【００９６】
ステップＳ４１１では、補正画像を印刷するか否かが判定され、「Ｎｏ」の場合にはステップＳ４０６に戻って補正を繰り返し、「Ｙｅｓ」の場合にはステップＳ４１２に移行して画像を印刷してメイン処理に戻り処理を終了する。
【００９７】
一方、ステップＳ４０６で「Ｎｏ」と判定した場合には、ステップＳ４０９に移行して、つなぎ目補正のヘルプ画面を表示し、つなぎ目部分のＣＭＹＫの色の比率、または、補正推奨色をタッチパネル３０上に表示してステップＳ４１０に移行する。
【００９８】
ステップＳ４１０では、タッチパネル３０に表示された内容に基いて補正する色を選んでステップＳ４０８に移行しその後の処理を実行する。
【００９９】
これにより、例えば、重色で形成される画像のつなぎ目など、複数のインクのつなぎ目が重なる場合で、何れの色のつなぎ目補正値をどの程度補正すべきかの判断は比較的難しい場合にもヘルプ画面を参照して補正を行うことができ、利便性が向上される。
【０１００】
図９のフローチャートは、画像内のつなぎ目座標位置の特定方法に係る処理手順を示すもので、図７のフローチャートにおけるステップＳ３０５または図８のステップＳ４０５の処理を行う前に、次に説明するステップＳ５０１〜Ｓ５１１の処理を実行する。
【０１０１】
ステップＳ５０１では、印刷方向をユーザが選択するか否かを判定し、「Ｎｏ」の場合にはステップＳ５０２に移行する。
【０１０２】
ステップＳ５０２では、つなぎ目補正を実施するのが印刷直後か否かを判定し、「Ｙｅｓ」の場合には、ステップＳ５１１に移行して、印刷時の画像形成に使用したノズルを参照する。そして、画像内のつなぎ目位置を特定し、情報を記憶部に保存して前出のステップＳ３０１（印刷物をスキャン）、Ｓ３０２（本体（記憶部）に画像を保存）を実行する。
【０１０３】
ここで、印刷直後とは、例えば印刷完了から数秒以内などの場合をいう。
【０１０４】
なお、補正したい画像を印刷し、その後、他の画像を出すと、メモリに限りがあるため、その情報が上書きされてしまう場合がある。そこで、ステップ５０２の判定において、印字直後とそうでないときとで場合分けをしたものである。
【０１０５】
また、前述の「ノズルを参照する」とは、インクジェットヘッド３（３Ｃ、３Ｋ、３Ｍ、３Ｙ）のノズルに関する情報を参照するとの意である。そして、印字直後である場合には、制御基板において印刷した画像を形成するのに使用したノズルに関する情報を使用することができる。
【０１０６】
一方、ステップＳ５０２で「Ｎｏ」と判定された場合には、ステップＳ５０３に移行して、用紙幅が閾値より小さいか否かが判定される。
【０１０７】
そして、「Ｎｏ」の場合にはステップＳ５１０に移行して、ヘッドの物理的な位置関係から、画像上でのつなぎ目位置を特定し、情報を記憶部に保存して前出のステップＳ３０１、Ｓ３０２を実行する。
【０１０８】
ここで、上述の「ヘッドの物理的な位置関係」とは、インクジェットヘッド３（３Ｃ、３Ｋ、３Ｍ、３Ｙ）の印刷用紙の搬送方向の配列位置や配列順および各インクジェットヘッド３（３Ｃ、３Ｋ、３Ｍ、３Ｙ）間の距離等を含めた位置関係をいう。
【０１０９】
また、ステップＳ５０３で「Ｙｅｓ」の場合には、ステップＳ５０４に移行して、印刷物を縦、横、双方向にスキャンする。なお、この際にスキャン解像度を上げてもよい。そして、画像を記憶部に保存してステップＳ５０５に移行する。
【０１１０】
なお、ステップＳ５０３に関連して、用紙サイズが小さい場合には搬送経路の中心を通って画像形成がされるわけではなく、印刷物に対し、つなぎ目位置を特定する必要がある。
【０１１１】
ステップＳ５０５では、画像の端部のミスト発生方向から印刷方向を判定してステップＳ５０６のサブルーチンに移行する。
【０１１２】
ステップＳ５０６では、判定した印刷方向のスキャン画像で色差、輝度差を抽出してつなぎ目位置を特定する処理を行う。なお、つなぎ目補正量の決定処理の処理手順の詳細については、図１０を参照して後述する。
【０１１３】
次いでステップＳ５０７では、情報を記憶部に保存して、前出のステップＳ３０５〜Ｓ３０９の処理またはステップＳ４０５〜Ｓ４１２を実行する。
【０１１４】
一方、ステップＳ５０１で「Ｙｅｓ」と判定された場合には、ステップＳ５０８に移行して、印刷方向（縦または横）をパネル上で選択してステップＳ５０９に移行する。
【０１１５】
ステップＳ５０９では、スキャン画像とつなぎ目位置とを併せてパネルに表示する。そして、ズレがある場合にはユーザがつなぎ目位置を移動させ、情報を記憶部に保存してステップＳ３０１またはステップＳ４０１に移行する。
【０１１６】
ここで、前出のステップＳ５０６に示す画像内のつなぎ目位置の特定処理に係るサブルーチン（つなぎ目補正量の決定処理）の処理手順を図１０のフローチャートを参照して説明する。
【０１１７】
ここに示すつなぎ目位置の特定処理は、Ｙ／Ｃｂ／Ｃｒの値からつなぎ目濃度差を抽出し、更に濃度差の大・中・小を定義することを特徴としている。
【０１１８】
まず、ステップＳ６０１では、つなぎ目補正エリアのＲＧＢ画素値をＹＣｂＣｒに変換する。色空間ＹＣｂＣｒは、テレビ放送やＪＰＥＧなどで利用されており、色を輝度と色差で表現する。
【０１１９】
画素値の算出は、次式による。
【０１２０】
Ｙ（輝度）≒０．３Ｒ＋０．６Ｇ＋０．１Ｂ
Ｃｂ（色差）≒−０．１７Ｒ−０．３Ｇ＋０．５Ｂ
Ｃｒ（色差）≒０．５Ｒ−０．４Ｇ−０．０８Ｂ
この式に基いて、ＲＧＢ画素値をＹＣｂＣｒに変換し、つなぎ目濃度差を抽出する。
【０１２１】
即ち、つなぎ目位置と周辺の輝度差ΔＹ、色差ΔＣｂ／ΔＣｒを算出し、各々の値の和をとり、値を判定する閾値を３段階設けて、つなぎ目の大・中・小を判定する。       
ステップＳ６０２では、Ｙ（輝度）が所定値以下で且つＣｂ／Ｃｒが所定値以下であるか否かを判定する。これにより、ＫとＣＭＹを切り分けることができる。そして、「Ｙｅｓ」の場合にはステップＳ６０３に移行して、つなぎ目補正対象色に黒（Ｂｌａｃｋ）が含まれていると判定してステップＳ６０９に移行する。
【０１２２】
一方、ステップＳ６０２で「Ｎｏ」と判定された場合には、ステップＳ６０４に移行して、Ｙ（輝度）が所定値以上で且つＣｂが所定値以下であるか否かを判定する。これにより、ＹとＣＭを切り分けることができる。そして、「Ｙｅｓ」の場合にはステップＳ６０５に移行して、つなぎ目補正対象色に黄色（Ｙｅｌｌｏｗ）が含まれていると判定し、ステップＳ６０９に移行する。
【０１２３】
また、ステップＳ６０４で「Ｎｏ」と判定された場合には、ステップＳ６０６に移行して、Ｃｒが所定値以上か否かを判定する。これにより、ＣとＭを切り分けることができる。そして、「Ｙｅｓ」の場合には、つなぎ目補正対象色にマゼンタ（Ｍａｇｅｎｔａ）が含まれていると判定し、ステップＳ６０９に移行する。
【０１２４】
一方、ステップＳ６０６で「Ｎｏ」と判定した場合には、ステップＳ６０８に移行して、つなぎ目補正対象色にシアン（Ｃｙａｎ）が含まれていると判定し、ステップＳ６０９に移行する。
【０１２５】
ステップＳ６０９では、つなぎ目とつなぎ目周辺とのΔＹ（輝度差）、ΔＥ（ΔＣｂ＾２＋ΔＣｒ＾２）＾（１／２）（色差）からスキャン画素値差を算出して、各色でスキャン画素値差を定義する。次いで、ステップＳ６１０に移行して、算出したスキャン画素値差に基づき各色のつなぎ目補正量を決定した後、メイン処理にリターンする。
【０１２６】
（つなぎ目補正量等について）
図１１は、実施形態に係るインクジェット記録装置１において適用されるつなぎ目補正量等を示す図表であり、図１１（ａ）はシアン（Ｃ）に関する図表、図１１（ｂ）はマゼンタ（Ｍ）に関する図表、図１１（ｃ）はブラック（Ｋ）に関する図表、図１１（ｄ）はイエロー（Ｙ）に関する図表である。
【０１２７】
各図表において、用紙種類として（普通紙、ＩＪ用紙、マット紙）について、つなぎ目濃度レベルついては、大、中、小の三段階で、スキャン画素値差については０〜３０の範囲で、つなぎ目補正量については、０〜２５の範囲で、予め所定の値が設定されている。
【０１２８】
これにより、用紙種類およびＣＭＹＫの各色について、用紙や色に応じた適正な補正を行うことができる。
【０１２９】
なお、図１１（ａ）〜（ｄ）の各図表は、例えば、インクジェット記録装置１が備える不揮発性メモリ等にテーブル形式などで格納されるようにできる。
【０１３０】
（つなぎ目補正の具体例）
ここで、図６のフローチャートで説明した補正処理に対応したつなぎ目補正の具体例について説明する。
【０１３１】
図１２は、つなぎ目補正の位置設定の手順を示す流れ図である。
【０１３２】
まず、図１２（ａ）に示すように、タッチパネル３０上に表示されたスキャン画像とつなぎ目番号（１〜５）に基いて、補正したいつなぎ目番号と補正対象色（ＣＭＹＫの何れか）を選択する。
【０１３３】
次いで、図１２（ｂ）では、つなぎ目補正のエリアを選択する。この例では、上下の何れかのエリアを選択するようになっているが、例えばスキャン画像を３つ以上のエリアに分割して、所望のエリアを選択するようにしても良い。
【０１３４】
図１２（ｃ）では、つなぎ目補正の開始位置をタッチパネル３０上からタッチして選択する。
【０１３５】
図１２（ｄ）では、つなぎ目補正の終了位置をタッチパネル３０上からタッチして選択する。
【０１３６】
図１３（ａ）には、図６のフローチャートにおけるステップＳ２１０に対応するつなぎ目補正の位置の測定例を示す。この例では、直尺により、印刷物の上端から１１ｍｍ〜８３ｍｍの範囲につなぎ目があると測定されている。
【０１３７】
図１３（ｂ）は、タッチパネル等を備える入力パネルの例を示す説明図である。この例では、スキャン画像と、つなぎ目番号（１〜５）、補正対象色、補正開始位置および補正終了位置が表示されている。また、表示部に隣接させてつなぎ目番号や補正開始位置および補正終了位置等の数値を入力するテンキーが設けられている。なお、テンキーについては、タッチパネル３０に表示させたソフトウェアキーボードとしても良い。
【０１３８】
（つなぎ目補正の他の具体例）
図７または図８のフローチャートで説明した補正処理に対応したつなぎ目補正の具体例について説明する。
【０１３９】
図１４は、つなぎ目補正を行う手順を示す流れ図である。
【０１４０】
まず、図１４（ａ）に示すように、タッチパネル３０上に表示されたスキャン画像とつなぎ目番号（１〜５）に基いて、補正したいつなぎ目番号と補正対象色（ＣＭＹＫの何れか）を選択する。
【０１４１】
次いで、図１４（ｂ）では、つなぎ目補正のエリアを選択する。
【０１４２】
図１４（ｃ）では、つなぎ目補正の開始位置をタッチパネル３０上からタッチして選択する。
【０１４３】
図１４（ｄ）では、つなぎ目補正の終了位置をタッチパネル３０上からタッチして選択する。
【０１４４】
図１４（ｅ）では、図１１のフローチャートにおけるステップＳ４０８に対応させて、補正レベルを−５〜＋５の範囲で選択する。また、つなぎ目補正色をＣＭＹＫの何れかから選択する。
【０１４５】
図１４（ｆ）では、図８にフローチャートにおけるステップＳ３０７に対応させて、選択された補正レベルでつなぎ目補正を実行した際のシミュレーション結果の出力イメージを確認画面としてタッチパネル３０に表示する。
【０１４６】
そして、つなぎ目補正の実行か、情報入力のやり直しかを選択し、つなぎ目補正の実行が選択された場合には設定情報に基いて補正を実行し、情報入力のやり直しが選択された場合には再度各種情報の入力を行う。
【０１４７】
これにより、印刷を実行する前に補正状態を確認することができ、利便性や経済性を向上させることができる。
【０１４８】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載にしたがって解釈すべきであり、特許請求の範囲の記載技術と均等な技術および特許請求の範囲内でのすべての変更が含まれる。
【符号の説明】
【０１４９】
１…インクジェット記録装置
２…搬送手段
３（３Ｃ，３Ｋ，３Ｍ，３Ｙ）…インクジェットヘッド
４（４ａ〜４ｆ）…ヘッドブロック
５…制御手段（マイクロコンピュータ）
６…スキャン手段
７…画像メモリ
８…検出手段
９…補正手段
１０…入力手段
２０…表示手段
３０…タッチパネル
Ｐ…記録媒体
ＯＢ１〜ＯＢ５…オーバラップ部
Ｊ１〜Ｊ５…つなぎ目
【図１】
2015003455.tif 000003
【図２】
2015003455.tif 000004
【図３】
2015003455.tif 000005
【図４】
2015003455.tif 000006
【図５】
2015003455.tif 000007
【図６】
2015003455.tif 000008
【図７】
2015003455.tif 000009
【図８】
2015003455.tif 000010
【図９】
2015003455.tif 000011
【図１０】
2015003455.tif 000012
【図１１】
2015003455.tif 000013
【図１２】
2015003455.tif 000014
【図１３】
2015003455.tif 000015
【図１４】
2015003455.tif 000016